(57)【要約】【課題】外部電源を使用せず屋外でも使用することが可能な保温ウェアを提供する。【解決手段】保温ウェアは、ウェア本体１と、ウェア本体１に設置している電源及び電源と電気連結している発熱部品２と、電気連結式フレキシブルバッテリ３とフレキシブルバッテリコントロール回路板４が含まれる電源と、を備え、電気連結式フレキシブルバッテリ３とフレキシブルバッテリコントロール回路板４とはウェア本体１内に設置されている。かかる構成の保温ウェアは、外部電源を使用せず屋外でも使用することが可能である。【選択図】図１
0003207192.tif 000002
【実用新案登録請求の範囲】
【請求項１】
ウェア本体と、
前記ウェア本体に設置している電源と、
前記電源と電気連結している発熱部品と、
を備え、
前記電源は、電気連結式フレキシブルバッテリ及びフレキシブルバッテリコントロール回路板が含まれ、
前記電気連結式フレキシブルバッテリ及び前記フレキシブルバッテリコントロール回路板は、前記ウェア本体内に設置されていることを特徴とする、保温ウェア。
【請求項２】
前記ウェア本体に円周方向が密封された収納袋が設けられ、前記電気連結式フレキシブルバッテリは前記収納袋に設置されていることを特徴とする、請求項１に記載の保温ウェア。
【請求項３】
前記発熱部品は炭素繊維であり、前記炭素繊維の外側が絶縁層を被せられ、前記炭素繊維がウェア本体の紡織生地に刺繍されていることを特徴とする、請求項２に記載の保温ウェア。
【請求項４】
前記炭素繊維と前記紡織生地とがクロスで配置され、前記保温ウェアに形成されていることを特徴とする、請求項３に記載の保温ウェア。
【請求項５】
前記炭素繊維が前記フレキシブルバッテリコントロール回路板により、前記電気連結式フレキシブルバッテリと連結されており、離れている前記炭素繊維が所在エリアにより並列に設置され、同じエリアの前記炭素繊維が直列配置されていることを特徴とする、請求項４に記載の保温ウェア。
【請求項６】
前記電気連結式フレキシブルバッテリの外部に前記電気連結式フレキシブルバッテリを外部密封する防水カバーが設置され、前記防水カバーに前記炭素繊維を通過する通過穴が設置されており、前記電気連結式フレキシブルバッテリと前記フレキシブルバッテリコントロール回路板の外部に防水層が被せられていることを特徴とする、請求項３に記載の保温ウェア。
【請求項７】
前記通過穴に前記炭素繊維を密封できる密封輪が設置されていることを特徴とする、請求項６に記載の保温ウェア。
【請求項８】
前記ウェア本体の過熱エリアに穴が設置され、前記炭素繊維は前記穴に充填され、前記穴の周辺の紡織生地に繋がっていることを特徴とする、請求項６に記載の保温ウェア。
【請求項９】
前記電気連結式フレキシブルバッテリはワイヤレス充電バッテリであることを特徴とする、請求項１〜８のいずれかに記載の保温ウェア。
【請求項１０】
前記フレキシブルバッテリコントロール回路板がブルートゥース通信モジュール及び近接センサーモジュールを含んでいることを特徴とする、請求項１〜９のいずれかに記載の保温ウェア。
【考案の詳細な説明】
【技術分野】
【０００１】
本考案は、ウェアの技術分野にかかり、特に、保温ウェアに関する。
【背景技術】
【０００２】
寒い季節における一般的な防寒手段として、保温ウェアを着用することがある。しかし、気温が低くなり、また屋外で活動する際、厚い服を着用する必要があるため、気温が低いときの活動利便性が悪くなり、生活及び仕事上に影響を与える。これを解消するために、保温効果のある保温ウェアが知られている（例えば、吸湿発熱繊維について、非特許文献１参照）。
【先行技術文献】
【非特許文献】
【０００３】
【非特許文献１】インターネット＜ＵＲＬ：https://ja.wikipedia.org/wiki/%E5%90%B8%E6%B9%BF%E7%99%BA%E7%86%B1%E7%B9%8A%E7%B6%AD＞
【考案の概要】
【考案が解決しようとする課題】
【０００４】
しかしながら、従来の保温ウェアには、以下のような問題があった。保温効果のあるウェアは、ほとんどが受動保温であり、ウェア自身が発熱しない。また、蓄熱できる材料が含まれるウェアがあるが、予め加熱し、保温効果を果たすことができるが、重量的に重くて、とても不便である。また、電気加熱式の技術があるが、電力を必要とし、局部しか作用しない、例として電熱ブーツ、電熱膝当等があるが、使用上不便な点がある。
【０００５】
そこで本考案は、このような問題に鑑みてなされたものであり、その目的とするところは、外部電源を使用せず屋外でも使用することの可能な保温ウェアを提供することにある。
【課題を解決するための手段】
【０００６】
上記課題を解決するために、本考案によれば、ウェア本体と、前記ウェア本体に設置している電源と、前記電源と電気連結している発熱部品と、を備え、前記電源は、電気連結式フレキシブルバッテリ及びフレキシブルバッテリコントロール回路板が含まれ、前記電気連結式フレキシブルバッテリ及び前記フレキシブルバッテリコントロール回路板は、前記ウェア本体内に設置されていることを特徴とする、保温ウェアが提供される。
【０００７】
かかる構成によれば、外部電源を使用せず屋外でも使用することが可能である。
【０００８】
本考案は様々な応用が可能である。以下の応用例は適宜組み合わせることが可能である。例えば、ウェア本体に円周方向が密封された収納袋が設けられ、前記電気連結式フレキシブルバッテリは前記収納袋に設置されていてもよい。収納袋はバッテリ全体を一定な範囲に固定でき、バッテリが運動する際、位置を変化させ発熱部品の安定作業を影響することを避け、保温ウェアを洗濯する際バッテリの移動により損害することを避け、バッテリの保護効果がある。同時に収納袋の緩衝作用でバッテリの損害を避けることができる。
【０００９】
また、前記発熱部品は炭素繊維であり、前記炭素繊維の外側が絶縁層を被せられ、前記炭素繊維がウェア本体の紡織生地に刺繍されていてもよい。炭素繊維が発熱体として採用し、炭素繊維で遠距離赤外線を放射でき、炭素繊維で放射された遠距離赤外線と人の細胞と共振でき、血液循環を促進することができ、体の特定部位を理療することができる。本出願中の炭素繊維が保温ウェアの一部であるため、保温ウェアの利便性を利用でき、ユーザーがいつでも、どこでも理療ができ、健康を守ることができる。
【００１０】
また、前記炭素繊維と前記紡織生地とがクロスで配置され、前記保温ウェアに形成されていてもよい。一層炭素繊維と紡織生地の連結強度を増加でき、また炭素繊維と紡織生地の均等配分ができるため炭素繊維が均等的に発熱し、ユーザーの着用心地がよくなり、快適に着用ができる。
【００１１】
また、前記炭素繊維が前記フレキシブルバッテリコントロール回路板により、前記電気連結式フレキシブルバッテリと連結されており、離れている前記炭素繊維が所在エリアにより並列に設置され、同じエリアの前記炭素繊維が直列配置されていてもよい。腰エリア、腹エリア、膝エリア及び肩エリアに炭素繊維が配分され、両足のエリアが独立なエリアであり、両肩も独立なエリアである。エリア毎の炭素繊維が並列設置されるため、一部のエリアの炭素繊維が故障になるとしても、他のエリアの発熱効果を影響しないため、保温ウェアの耐久性を一層高められる。
【００１２】
また、前記電気連結式フレキシブルバッテリの外部に前記電気連結式フレキシブルバッテリを外部密封する防水カバーが設置され、前記防水カバーに前記炭素繊維を通過する通過穴が設置されており、前記電気連結式フレキシブルバッテリと前記フレキシブルバッテリコントロール回路板の外部に防水層が被せられていてもよい。防水カバーが内部のバッテリを防水でき、ウェアを洗濯でき、同時に雨の日でも、バッテリを防水でき、バッテリをショートすること防げ、保温ウェアの電気安全性及び信頼性を確保できる。上記フレキシブルバッテリとフレキシブルバッテリコントロール回路板の外部に防水層を被せたため、重要電子部品の防水と防腐食機能がある。防水層は例としてポリマーフィルム塗装である。
【００１３】
また、前記通過穴に前記炭素繊維を密封できる密封輪が設置されていてもよい。埃また水分が通過穴から防水カバーに入ることを防げ、防水カバーの防水性能を増加し、安全性を増強する。
【００１４】
また、前記ウェア本体の過熱エリアに穴が設置され、前記炭素繊維は前記穴に充填され、前記穴の周辺の紡織生地に繋がっていてもよい。穴周辺がすべて炭素繊維であり、保温ウェアの発熱効率を向上し、保温ウェアの発熱エナジー利用率を向上できる。
【００１５】
また、前記電気連結式フレキシブルバッテリはワイヤレス充電バッテリであってもよい。バッテリをワイヤレス充電器で充電され、便利性が向上される。該当バッテリが有線充電もでき、又はフレキシブルバッテリが交換式バッテリである。
【００１６】
また、前記フレキシブルバッテリコントロール回路板がブルートゥース（登録商標）を用いた通信モジュール及び近接センサーモジュールを含んでいてもよい。発熱部品のコントロールについて、携帯電話のアプリケーション（ＡＰＰ）で操作でき、又はリストバンド等のスマートウェアでコントロールでき、操作の利便性を向上される。
【考案の効果】
【００１７】
本考案の保温ウェアによれば、外部電源を使用せず屋外でも使用することが可能である。本考案のその他の効果については、以下の考案を実施するための形態の項でも説明する。
【図面の簡単な説明】
【００１８】
【図１】本考案の一実施形態にかかる保温ウェアの例示図である。
【考案を実施するための形態】
【００１９】
以下に添付図面を参照しながら、本考案の好適な実施の形態について詳細に説明する。なお、本明細書及び図面において、実質的に同一の機能構成を有する構成要素については、同一の符号を付することにより重複説明を省略する。下記の詳細説明の中、本考案を理解するために必要な特定詳細内容を説明する。ただし、本技術分野の技術者が理解できるように、これらの特定詳細内容がなくても、本考案を実施できる。なお、本考案の理解に影響しないため、他の状況の中、公知の方法、プロセス、モジュールを詳細説明しない。
【００２０】
まず、図１を参照しながら、保温ウェアについて説明する。図１は、保温ウェアの例示図である。
【００２１】
保温ウェアは、図１に示したように、ウェア本体１に設置している電源及び電源と電気連結している発熱部品２を備え、電源は電気連結式フレキシブルバッテリ３とフレキシブルバッテリコントロール回路板４が含まれ、電気連結式フレキシブルバッテリ３とフレキシブルバッテリコントロール回路板４はウェア本体内１に設置されている。以下これらを単にバッテリとも言う。
【００２２】
当該保温ウェアは、電気連結式フレキシブルバッテリ３とフレキシブルバッテリコントロール回路板４が含まれ、電気連結式フレキシブルバッテリ３で発熱部品２に給電し、フレキシブルバッテリコントロール回路板４で発熱部品２の発熱をコントロールし、外部電源を使わず、活動範囲を制限されていないため、利便性が高い。当該保温ウェアは上着、ズボン又はコンビネゾンの形である。
【００２３】
ウェア本体１に円周方法の密封する収納袋５を備え、上記のバッテリは上記の収納袋５に設置されている。収納袋５はバッテリ全体を一定な範囲に固定でき、バッテリが運動する際、位置を変化させ、発熱部品２の安定作業を影響することを避け、保温ウェアを洗濯する際、バッテリの移動により損害することを避け、バッテリの保護効果がある。同時に収納袋５の緩衝作用でバッテリの損害を避けることができる。
【００２４】
フレキシブルバッテリコントロール回路板４はブルートゥース通信モジュール及び近接センサーモジュールを含み、ブルートゥース通信モジュールが携帯電話と通信し、携帯電話のアプリケーション（ＡＰＰ）にてコントロールできる。近接センサーモジュールがスマートウェア（リストバンド）等と通信し、簡単に携帯電話及びスマートウェアで保温ウェアの温度とスイッチを調整しコントロールできる。
【００２５】
発熱部品２は炭素繊維又は双糸である。本実施形態では、発熱部品２は炭素繊維である。炭素繊維は複数の方法で発熱位置に固定できる。例として、体の腹、膝、腰、肩等に位置する。固定方法も種々可能であり、例として、貼り付け、縫い等が可能である。本実施形態の中、炭素繊維はウェア本体１の紡織生地に刺繍され、炭素繊維とウェア本体１の紡織生地を一体にさせられる。炭素繊維と紡織生地が一体になり、構成強度が強くなり、耐性もよくなる。炭素繊維の外部に絶縁層が被せられ、炭素繊維を絶縁保護でき、ユーザーが感電するのを防げる。
【００２６】
炭素繊維が発熱体として採用し、炭素繊維で遠距離赤外線を放射でき、炭素繊維で放射された遠距離赤外線と人の細胞と共振でき、血液循環を促進することができ、体の特定部位を理療することができる。本実施形態では炭素繊維が保温ウェアの一部であるため、保温ウェアの利便性を利用でき、ユーザーがいつでも、どこでも理療ができ、健康を守ることができる。
【００２７】
好ましくは、炭素繊維と紡織生地がクロスで配置され、上記の保温ウェアに形成され、炭素繊維と紡織生地の連結強度を一層増加でき、また炭素繊維と紡織生地の均等配分ができるため、炭素繊維が均等的に発熱し、ユーザーの着用心地がよくなり、快適に着用ができる。
【００２８】
炭素繊維が上記フレキシブルバッテリコントロール回路板４により、電気連結式フレキシブルバッテリと連結され、離れている上記炭素繊維が所在エリアにより並列設置され、同じエリアの上記炭素繊維が直列配置されている。本実施形態により、腰エリア、腹エリア、膝エリア及び肩エリアに炭素繊維が配分され、両足のエリアが独立なエリアであり、両肩も独立なエリアである。エリア毎の炭素繊維が並列設置されるため、一部のエリアの炭素繊維が損傷したとしても、他のエリアの発熱効果を影響しないため、保温ウェアの耐久性を一層高められる。
【００２９】
バッテリの外部密封カバーが防水カバー６を設置され、防水カバー６に上記炭素繊維を通過する穴を設置されている。防水カバー６が内部のバッテリを防水でき、ウェアを洗濯でき、同時に雨の日でも、バッテリを防水でき、バッテリがショートすること防げ、保温ウェアの電気安全性及び信頼性を確保できる。上記電気連結式フレキシブルバッテリ３とフレキシブルバッテリコントロール回路板４の外部に防水層を被せたため、重要電子部品の防水と防腐食機能がある。防水層は一例としてポリマーフィルム塗装である。
【００３０】
好ましくは、通過穴に上記炭素繊維を密封できる密封輪を設置され、埃又は水分が通過穴から防水カバー６に入ることを防げ、防水カバー６の防水性能を増加し、安全性を増強する。
【００３１】
好ましくは、ウェア本体の過熱エリアに穴が設置され、炭素繊維は穴に充填され、上記穴の周辺の紡織生地に繋がっている。したがって、穴周辺がすべて炭素繊維であり、保温ウェアの発熱効率を向上し、保温ウェアの発熱エナジー利用率を向上できる。
【００３２】
好ましくは、バッテリはワイヤレス充電バッテリである。バッテリはワイヤレス充電器で充電され、利便性が向上される。当該バッテリが有線充電もでき、又はフレキシブルバッテリが交換式バッテリである。
【００３３】
好ましくは、発熱部品のコントロールについて、携帯電話のアプリケーション（ＡＰＰ）で操作でき、又はリストバンド等のスマートウェアでコントロールできることで、操作の利便性が向上される。
【００３４】
（本実施形態の効果）
以上説明したように、本実施形態の保温ウェアによれば、外部電源を使用せず屋外でも使用することが可能である。
【００３５】
以上、添付図面を参照しながら本考案の好適な実施形態について説明したが、本考案はかかる例に限定されないことは言うまでもない。当業者であれば、実用新案登録請求の範囲に記載された範棒状部収容部疇内において、各種の変更例又は修正例に想到し得ることは明らかであり、それらについても当然に本考案の技術的範囲に属するものと了解される。すなわち、以上の実施形態の説明は、本考案の方法及び基本の考え方を理解するための一実施形態である。本技術分野の技術者は、本考案の考え方により、具体的実施方式及び応用範囲を変更することがあるが、本考案は、本実施形態に限定されない。
【産業上の利用可能性】
【００３６】
本考案は、ウェアの技術分野に利用可能であり、特に、保温ウェアに利用可能である。
【符号の説明】
【００３７】
１  ウェア本体
２  発熱部品
３  電気連結式フレキシブルバッテリ
４  フレキシブルバッテリコントロール回路板
５  収納袋
６  防水カバー
【図１】
0003207192.tif 000003